(57)【特許請求の範囲】
【請求項１】
一側面に先端側より端子部とこの端子部より厚さを増す段差部とを順次に設けた記憶装置を枠体に挿入抜き取り自在とし、挿入される前記記憶装置の前記一側面に平行で挿入方向に直交する揺動軸により前記枠体にシーソー部材を揺動自在に設け、前記記憶装置の挿入に伴い前記段差部が前記シーソー部材の一端側に当接してこれを揺動させるようになし、前記シーソー部材の他端側にスプリングコネクタを設け、前記シーソー部材の前記他端側が前記挿入される前記記憶装置の前記端子部から離れる方向に揺動バネで弾性付勢し、前記記憶装置の挿入に伴い前記段差部で前記シーソー部材を前記弾性バネの弾力に抗して揺動させ、前記端子部に前記スプリングコネクタの一端が弾接するように構成したことを特徴とする記憶装置の端子接続構造。
【請求項２】
請求項１記載の記憶装置の端子接続構造において、回路基板に前記シーソー部材が臨むようにして前記枠体を固定し、前記スプリングコネクタの他端が前記回路基板に設けた回路端子部に常時弾接するように構成したことを特徴とする記憶装置の端子接続構造。
【請求項３】
請求項１または２記載の記憶装置の端子接続構造において、前記記憶装置の段差部または前記シーソー部材の一端側の当接部のすくなくとも一方にくさび効果により前記シーソー部材を揺動させる傾斜面を設けて構成したことを特徴とする記憶装置の端子接続構造。
【請求項４】
請求項１または２記載の記憶装置の端子接続構造において、前記スプリングコネクタは前記端子部に当接する一端が固定プランジャーで他端が可動プランジャーであり、このスプリングコネクタを前記シーソー部材に対して軸方向に抜け出ない範囲で移動自在に構成したことを特徴とする記憶装置の端子接続構造。
【請求項５】
請求項１または２記載の記憶装置の端子接続構造において、前記スプリングコネクタは両端が可動プランジャーであり、このスプリングコネクタを前記シーソー部材に固定して構成したことを特徴とする記憶装置の端子接続構造。
【発明の詳細な説明】
【０００１】
【発明の属する技術分野】
本発明は、記憶装置の挿入抜き取りにより、その端子部を電気的接続しまたは電気的に分離するための記憶装置の端子接続構造に関するものである。
【０００２】
【従来の技術】
デジタルカメラやデジタルビデオが、近年著しく普及しつつある。かかる機器のデジタルデータの記憶装置の一例として、図７に示すごとき装置が用いられている。図７は、一般的にメモリースティクと称される固体の記憶装置であり、（ａ）は縦断面図であり、（ｂ）は底面図であり、（ｃ）は（ａ）の左側面図である。
【０００３】
図７において、記憶装置１０は全体が絶縁樹脂で覆われていて可動部のない比較的に薄い厚さのほぼ矩形直方体の固体であって、その挿入方向の先端側の幅広の一側面に複数の端子からなる端子部１２が設けられるとともに、続いて傾斜面によりその厚さが増加する段差部１４が設けられている。なお、端子部１２の各端子の間を仕切るように仕切壁１６、１６…が設けられている。端子部１２の各端子は装置内に設けられた固体メモリー回路などに適宜に電気的接続されていることは勿論である。
【０００４】
かかる外形をした記憶装置１０の従来の端接続構造の一例を図８を参照して説明する。図８は、従来の記憶装置の端子接続構造の一例を示し、（ａ）は縦断面図であり、（ｂ）は回路基板を除いた底面図であり、（ｃ）は（ａ）の右側面図である。
【０００５】
図８において、回路基板２０に絶縁材からなる枠体２２が固定配設される。この枠体２２に、記憶装置１０が端子部１２を挿入先端側としまた回路基板２０側に向けて挿入抜き取り自在に構成される。そして、回路基板２０に、挿入された記憶装置１０の端子部１２の各端子に弾接するように、導電バネ部材２４、２４…が回路基板２０に半田付けなどにより固定されるとともに適宜な回路端子部の各端子に電気的接続される。そこで、挿入された記憶装置１０は、その端子部１２の各端子が、導電バネ部材２４、２４…を介して回路基板２０の回路端子部の各端子に電気的接続される。かかる構造の従来技術が、実開平０１−１１７０８６号公報の第３図に示されている。
【特許文献１】
実開平０１−１１７０８６号公報
【０００６】
【発明が解決しようとする課題】
上述の図８に示す従来の記憶装置の端子接続構造の一例にあっては、導電バネ部材２４、２４…が記憶装置１０の端子部１２に弾接して確実な電気的接続を得るためには、導電バネ部材２４、２４…は端子部１２に所定値以上の弾力で確実に弾接しなければならない。そして、小さな弾力による弾接では確実な電気的接続が得られない。そこで、記憶装置１０の挿入抜き取りの度に、かかる大きな弾力で導電バネ部材２４、２４…が端子部１２に弾接した状態で摺動がなされ、端子部１２の摩耗が著しい。この結果、端子部１２の電気的接触不良が生じ易い。また、摩耗により生じた金属粉などにより電気的短絡自己の虞がある。そこで、記憶装置１０の挿入抜き取りの耐久寿命回数が少ないという不具合があった。
【０００７】
本発明は、上述の従来技術の事情に鑑みてなされたもので、端子部の摩耗が生じにくく、記憶装置の挿入抜き取りの耐久寿命回数が多い記憶装置の端子接続構造を提供することを目的とする。
【０００８】
【課題を解決するための手段】
かかる目的を達成するために、本発明の記憶装置の端子接続構造は、一側面に先端側より端子部とこの端子部より厚さを増す段差部とを順次に設けた記憶装置を枠体に挿入抜き取り自在とし、挿入される前記記憶装置の前記一側面に平行で挿入方向に直交する揺動軸により前記枠体にシーソー部材を揺動自在に設け、前記記憶装置の挿入に伴い前記段差部が前記シーソー部材の一端側に当接してこれを揺動させるようになし、前記シーソー部材の他端側にスプリングコネクタを設け、前記シーソー部材の前記他端側が前記挿入される前記記憶装置の前記端子部から離れる方向に揺動バネで弾性付勢し、前記記憶装置の挿入に伴い前記段差部で前記シーソー部材を前記弾性バネの弾力に抗して揺動させ、前記端子部に前記スプリングコネクタの一端が弾接するように構成されている。
【０００９】
そして、回路基板に前記シーソー部材が臨むようにして前記枠体を固定し、前記スプリングコネクタの他端が前記回路基板に設けた回路端子部に常時弾接するように構成しても良い。
【００１０】
【発明の実施の形態】
以下、本発明の第１実施例を図１ないし図５を参照して説明する。図１は、本発明の記憶装置の端子接続構造の第１実施例を示し、（ａ）は縦断面図であり、（ｂ）は回路基板を除いた底面図である。図２は、シーソー部材の動作を示し、（ａ）は記憶装置が所定位置に挿入される前のシーソー部材の姿勢を示す図であり、（ｂ）は記憶装置が所定位置に挿入された後のシーソー部材の姿勢を示す図である。図３は、シーソー部材に設けられたスプリングコネクタを示し、（ａ）はその一例を示す図であり、（ｂ）は他の例を示す縦断面図である。図４は、スプリングピンの構造を示す図である。図５は、係合手段と解放手段を示し、（ａ）は要部の横断面図であり、（ｂ）は（ａ）のＡ矢視図である。図１ないし図５において、図７および図８と同じまたは均等な部材には同じ符号を付けて重複する説明を省略する。
【００１１】
まず、図１において、回路基板２０に絶縁材からなる枠体３０が固定される。この枠体３０に記憶装置１０が端子部１２を挿入先端側とするとともに回路基板２０側に向けて挿入抜き取り自在に構成される。また、枠体３０に、挿入された記憶装置１０の端子部１２と回路基板２０の間に、シーソー部材３２が回路基板２０に臨むようにして揺動自在に配設される。このシーソー部材３２は、記憶装置１０の端子部１２が設けられた一側面と平行でその挿入方向と直交する揺動軸３４により軸承される。そして、記憶装置１０の挿入に伴い、シーソー部材３２の一端側に記憶装置１０の段差部１４の傾斜面が当接し、シーソー部材３２の他端側が端子部１２に近づくように揺動される。また、シーソー部材３２の他端側に、端子部１２に弾接するようにスプリングコネクタ３６、３６…が配設される。さらに、シーソー部材３２は、スプリングコネクタ３６、３６…が設けられた他端側を、挿入される記憶装置１０の端子部１２から離す方向に、揺動バネ３８で弾性付勢される。また、枠体３０には、記憶装置１０の挿入先端面に弾接してこれを抜き取り方向に弾性付勢するスプリングピン４０が設けられている。さらにまた、枠体３０に挿入された状態の記憶装置１０に設けられた係合凹部４２に係合して抜き取り方向への移動を阻止する係合手段４４と、この係合手段４４の係合凹部４２に対する係合を解除する解放手段４６が設けられている。
【００１２】
次に、図２により、シーソー部材の動作につき説明する。記憶装置１０が所定位置まで挿入される前にあっては、図２（ａ）のごとく、揺動バネ３８の弾力によりシーソー部材３２は、スプリングコネクタ３６、３６…が記憶装置１０の端子部１２から離れる姿勢にあり、記憶装置１０の挿入を許容する空間が設けられている。そして、記憶装置１０が挿入されると、まず記憶装置１０の段差部１４がシーソー部材３２の一端側に設けた傾斜面からなる当接部３２ａに当接し、互いのくさび効果でシーソー部材３２が揺動され、図２（ｂ）の姿勢となる。すると、シーソー部材３２の他端側に設けられたスプリングコネクタ３６、３６…が端子部１２に弾接されて電気的接続がなされる。
【００１３】
このスプリングコネクタ３６、３６…は、図３（ａ）に示すごとく、一端が固定プランジャーで他端が可動プランジャーであって、シーソー部材３２に対して軸方向に抜け出さない範囲で移動自在に配設されている。この図３（ａ）に示すスプリングコネクタ３６、３６…は、可動プランジャーが常に回路基板２０の回路端子部に弾接していて、記憶装置１０の挿入によるシーソー部材３２の揺動で可動プランジャーの突出が可能とされ、他端の固定プランジャーが端子部１２に弾接することとなる。ここで、スプリングコネクタ３６、３６…がシーソー部材３２に対して軸方向に移動できるので、シーソー部材３２の動きが直接には端子部１２に与えられず、シーソー部材３２の揺動によりスプリングコネクタ３６、３６…の固定プランジャーで端子部１２に過大な力を与えてこれを破損させることがない。
【００１４】
なお、スプリングコネクタ３６、３６…は、図３（ｂ）に示すごとく、両端が可動プランジャーで、シーソー部材３２に固定されて配設されたものであっても良い。特に、図３（ｂ）の例は、金属チューブの両端側に可動プランジャーを抜け落ちないようにして突出および引き込み自在に配設し、両可動プランジャー間にスプリングコイルを縮設したものである。そして、金属チューブがシーソー部材３２に圧入されて固定される。シーソー部材３２の揺動により両端の可動プランジャーが突出可能とされ、記憶装置１０の端子部１２と回路基板２０の回路端子部にそれぞれ弾接して両者間の電気的接続がなされる。
【００１５】
さらに、スプリングピン４０の一例は、図４に示すごとく、金属チューブ４０ａ内にスプリングコイル４０ｂと突き出しピン４０ｃを挿入して抜け出さないように構成したものである。記憶装置１０の挿入に伴い、突き出しピン４０ｃの先端が記憶装置１０の挿入先端面に弾接して金属チューブ４０ａ内に弾力に抗して収容され、記憶装置１０を抜き取る際にはスプリングコイル４０ｂの弾力により突き出しピン４０ｃが突出されて記憶装置１０を抜き取り方向に弾性付勢する。
【００１６】
そしてさらに、係合手段４４は、図５に示すごとく、係合突部４４ａを有する板バネからなり、記憶装置１０の挿入の際に破線のごとく弾性変形し、記憶装置１０が所定の位置まで挿入されると、弾性復帰して記憶装置１０の係合凹部４２に係合突部４４ａが挿入して係合され、記憶装置１０の抜き取り方向への移動が阻止される。そして、解放手段４６は、係合手段４４の先端部に臨んで移動し得る操作ピン４６ａがスプリングコイル４６ｂで係合手段４４と離れる方向に弾性付勢されて構成されている。この操作ピン４６ａをスプリングコイル４６ｂの弾力に抗して係合手段４４側に押圧移動させると、操作ピン４６ａの先端により係合手段４４は破線のように弾性変形され、この弾性変形により係合突部４４ａが係合凹部４２から抜け出て係合が解除される。そこで、スプリングピン４０の弾力により、記憶装置１０は抜き取り方向に自動的に移動される。
【００１７】
かかる構成の本発明にあっては、記憶装置１０を挿入してスプリングコネクタ３６、３６…が端子部１２に当接する際に、段差部１４によりシーソー部材３２が揺動されて、スプリングコネクタ３６、３６…が端子部１２に弾接して僅かに摺動するだけであり、しかもその弾力はごく小さい状態から所定の大きさの弾力の状態まで変化するものであり、平均すれば小さな弾力である。そこで、従来の所定の強い弾力で長い寸法摺動されるものに比べて、端子部１２の摩耗が極めて少ない。また、摩耗による金属粉も生ずることがない。そこで、挿入抜き取り耐久回数の著しい改善が得られる。また、実施例においては、係合手段４４は記憶装置１０に係合して抜き取り方向の移動を阻止して挿入状態を保持するのみならず、記憶装置１０の側面に弾接していて枠体３０内で記憶装置１０を弾力方向に偏寄させ、位置決め作用を奏する。またこれと同時にガタ付き阻止の作用をも奏する。そして、記憶装置１０を挿入した状態で、解放手段４６の操作ピン４６ａを押圧することで記憶装置１０はスプリングピン４０の弾力により抜き取り方向に自動的に突き出され、記憶装置１０の抜き取り作業が極めて容易である。
【００１８】
さらに、本発明の第２実施例を図６を参照して説明する。図６は、本発明の記憶装置の端子接続構造の第２実施例を示し、（ａ）は縦断面図であり、（ｂ）は回路基板を除いた底面図である。図６において、図１に示す部材と同じまたは均等な部材には同じ符号を付けて重複する説明を省略する。
【００１９】
図６に示す第２実施例は、シーソー部材３２の揺動バネの構造が第１実施例と相違したものである。図６において、シーソー部材３２のスプリングコネクタ３６、３６…が配設された側の先端部の一部分をさらに伸ばして突部３２ｂを設け、この突部３２ｂに臨んで枠体３０に穿設したバネ孔３０ａ、３０ａに揺動バネ５０、５０が縮設される。この第２実施例にあっても、第１実施例と同様に、シーソー部材３２はスプリングコネクタ３６、３６…が端子部１２から離れる方向に弾性付勢される。
【００２０】
なお、上記実施例にあっては、記憶装置１０の段差部１４を傾斜面とし、これが当接するシーソー部材３２の当接部３２ａも傾斜面として、より効果的にくさび作用が作用するように構成されているが、これに限られず、少なくともいずれか一方に傾斜面が設けられていれば良い。また、上記実施例は枠体３０が回路基板２０に固定され、スプリングコネクタ３６、３６…を介して記憶装置１０の端子部１２と回路基板２０の回路端子部が電気的接続されるようになされているが、これに限られず、回路基板２０が設けられず、スプリングコネクタ３６、３６…は記憶装置１０の端子部１２に当接する側に可動プランジャーを備え、他の側に可撓性に富む接続ケーブルまたはフレキシブル回路基板などが固定および電気的接続されていても良い。ここで、記憶装置１０が挿入されていない様態では、シーソー部材３２が挿入を許容する所定の姿勢に適宜に保持されることは勿論である。
【００２１】
【発明の効果】
以上説明したように、本発明の記憶装置の端子接続構造は構成されているので、以下のごとき格別な効果を奏する。
【００２２】
請求項１記載の記憶装置の端子接続構造にあっては、記憶装置を挿入および抜き取る際に、スプリングコネクタが端子部に弾接した状態で摺動する長さが極めて僅かであり、しかもその弾力は小さい状態から所定の大きさの状態まで変化し、平均として従来のものよりも小さく、従来の所定の大きな弾力で弾接した状態で長い距離を摺動させるものに比較して、端子部の摩耗が極めて僅かである。しかも、摩耗により金属粉も生ずることがない。したがって、本発明の端子接続構造にあっては、記憶装置の挿入抜き取り耐久寿命回数を大幅に向上させることができる。また、シーソー部材を揺動バネにより偏寄させているので、記憶装置の挿入に対して、シーソー部材はこれを許容する所定の姿勢にあり、挿入に伴いシーソー部材が確実に揺動操作され、スプリングコネクタを端子部に確実に当接させ得る。
【００２３】
請求項２記載の記憶装置の端子接続構造にあっては、枠体を回路基板に固定し、挿入された記憶装置の端子部と回路基板の回路端子部をスプリングコネクタを介して電気的接続するので、回路基板と記憶装置の電気的接続が確実になされる。
【００２４】
請求項３記載の記憶装置の端子接続構造にあっては、記憶装置の段差部とシーソー部材の当接部の少なくともいずれか一方を傾斜面として、記憶装置の挿入によりくさび作用でシーソー部材を揺動させるので、記憶装置を小さな力で挿入してもシーソー部材の揺動動作を確実になし得る。
【００２５】
請求項４記載の記憶装置の端子接続構造にあっては、記憶装置の挿入状態で解放手段を操作すると、スプリングピンの弾力で枠体から記憶装置が自動的に突き出され、記憶装置の抜き取り操作が容易である。また、記憶装置が挿入された状態ではこれを人がつかみ出せないような構造であっても、記憶装置の抜き取りが可能である。
【００２６】
請求項５または６記載の記憶装置の端子接続構造にあっては、シーソー部材の動きがスプリングコネクタの弾力または軸方向移動などにより吸収調整され、直接に記憶装置の端子部に加わることがないので、シーソー部材の動作により端子部が過大な力を受けて損傷されるようなことがない。
【図面の簡単な説明】
【図１】  本発明の記憶装置の端子接続構造の第１実施例を示し、（ａ）は縦断面図であり、（ｂ）は回路基板を除いた底面図である。
【図２】  シーソー部材の動作を示し、（ａ）は記憶装置が所定位置に挿入される前のシーソー部材の姿勢を示す図であり、（ｂ）は記憶装置が所定位置に挿入された後のシーソー部材の姿勢を示す図である。
【図３】  シーソー部材に設けられたスプリングコネクタを示し、（ａ）はその一例を示す図であり、（ｂ）は他の例を示す縦断面図である。
【図４】  スプリングピンの構造を示す図である。
【図５】  係合手段と解放手段を示し、（ａ）は要部の横断面図であり、（ｂ）は（ａ）のＡ矢視図である。
【図６】  本発明の記憶装置の端子接続構造の第２実施例を示し、（ａ）は縦断面図であり、（ｂ）は回路基板を除いた底面図である。
【図７】  一般的にメモリースティクと称される記憶装置を示し、（ａ）は縦断面図であり、（ｂ）は底面図であり、（ｃ）は（ａ）の左側面図である。
【図８】  従来の記憶装置の端子接続構造の一例を示し、（ａ）は縦断面図であり、（ｂ）は回路基板を除いた底面図であり、（ｃ）は（ａ）の右側面図である。
【符号の説明】
１０  記憶装置
１２  端子部
１４  段差部
２０  回路基板
２２、３０  枠体
３２  シーソー部材
３４  揺動軸
３６  スプリングコネクタ
３８、５０  揺動バネ
４０  スプリングピン
４２  係合凹部
４４  係合手段
４６  解放手段
【図１】
0004209558.tif 000002
【図２】
0004209558.tif 000003
【図３】
0004209558.tif 000004
【図４】
0004209558.tif 000005
【図５】
0004209558.tif 000006
【図６】
0004209558.tif 000007
【図７】
0004209558.tif 000008
【図８】
0004209558.tif 000009